(57)【要約】【課題】複写機所有者の広告需要に適合し、広告主に対して広告効率の高い広告配信を行うことを可能とする広告配信システムを提供する。【解決手段】広告配信システム１において、広告主端末１１−１は、広告配信事業者３のサーバ５に接続して、広告配信先の条件に適合する複写機１３を抽出し、配信広告を作成登録する。また、作成した広告に広告番号１１３を付与し、抽出された複写機１３に広告を配信する。複写機ユーザが、広告を出力し、広告主店舗等で使用すると、広告主は広告に付与された広告番号１１３をサーバ５にフィードバックする。即ち、サーバ５のデータベースの信頼性を高め、同時に広告効率を高める。また、広告番号１１３のフィードバックにより、広告主への広告料金の返還、複写機の保守料金割引を行う。【選択図】  図１
2004213176.tif 000002
【特許請求の範囲】
【請求項１】
広告主端末と、複写機と、広告配信データベースを有するサーバとがネットワークを介して接続された広告配信システムであって、
前記サーバは、前記広告主端末の申し込みに応じて、広告を前記複写機に配信する配信手段を、具備し、
前記複写機は広告を特定する特定情報を有する広告を印刷する印刷手段を、具備し、
前記広告主端末は、前記複写機で印刷された広告の前記特定情報を、前記サーバに送信する送信手段を、具備し、
前記サーバは、前記特定情報を基にして前記広告配信データベースを書き換える書換え手段を、具備することを特徴とする広告配信システム。
【請求項２】
前記広告配信データベースは、
広告主に関するデータを有する広告データと、
複写機所有者に関するデータを有する複写機所有者データと、
各複写機に対していずれの広告が使用されたことを示す広告情報と、
を保持することを特徴とする請求項１記載の広告配信システム。
【請求項３】
前記特定情報は、前記サーバで生成されることを特徴とする請求項１記載の広告配信システム。
【請求項４】
前記特定情報は、前記複写機で生成されることを特徴とする請求項１記載の広告配信システム。
【請求項５】
前記サーバは、前記特定情報を受け取ると、この特定情報を持つ広告の広告料金の一部の返還を判断する広告料金返還判断手段を、
更に具備することを特徴とする請求項１記載の広告配信システム。
【請求項６】
前記サーバは、前記特定情報を受け取ると、この特定情報を持つ広告を印刷した複写機の印刷料金の割引を判断する印刷料金割引判断手段を、
更に具備することを特徴とする請求項１記載の広告配信システム。
【請求項７】
広告主端末と複写機に、ネットワークを介して接続され、広告配信データベースを有するサーバであって、
前記広告主端末の申し込みに応じて、広告を前記複写機に配信する配信手段と、
前記複写機で印刷され、特定情報を有する広告の、前記特定情報が前記広告主端末から送られると、この特定情報を受信する受信手段と、
前記特定情報を基にして、広告配信データベースを書き換える書換え手段と、
を、具備することを特徴とするサーバ。
【請求項８】
前記広告配信データベースは、
広告主に関するデータを有する広告データと、
複写機所有者に関するデータを有する複写機所有者データと、
各複写機に対していずれの広告が使用されたことを示す広告情報と、
を保持することを特徴とする請求項７記載のサーバ。
【請求項９】
前記特定情報は、前記サーバで生成されることを特徴とする請求項７記載のサーバ。
【請求項１０】
前記特定情報は、前記複写機で生成されることを特徴とする請求項７記載のサーバ。
【請求項１１】
前記書換え手段は、
前記広告配信データベースの前記広告情報を未使用から使用に書き換えることを特徴とする請求項７記載のサーバ。
【請求項１２】
前記サーバは、前記特定情報を受け取ると、この特定情報を持つ広告の広告料金の一部の返還を判断する広告料金返還判断手段を、
更に具備することを特徴とする請求項７記載のサーバ。
【請求項１３】
前記サーバは、前記特定情報を受け取ると、この特定情報を持つ広告を印刷した複写機の印刷料金の割引を判断する印刷料金割引判断手段を、
更に具備することを特徴とする請求項７記載のサーバ。
【請求項１４】
広告主端末と、広告配信データベースを有するサーバに、ネットワークを介して接続された複写機であって、
前記サーバから配信される広告を受信する受信手段と、
前記広告を特定する特定情報を生成する生成手段と、
前記特定情報を有する広告を印刷する印刷手段と、
を具備することを特徴とする複写機。
【請求項１５】
前記特定情報を前記サーバに送信する送信手段を、
更に具備することを特徴とする請求項１４記載の複写機。
【請求項１６】
コンピュータを請求項７から請求項１３のいずれかに記載されたサーバとして機能させるプログラム。
【発明の詳細な説明】
【０００１】
【発明の属する技術分野】
本発明は、ネットワークに接続されている複写機に広告を配信するシステムに関する。特に、複写機所有者の需要に適合する広告配信を行うと共に、当該広告の広告主に対して広告効率の高い広告配信を可能にし、更に広告配信の利用状況をフィードバックすることによってより広告効率の高い広告配信を可能にするシステムに関する。
【０００２】
【従来の技術】
昨今のネットワークの普及に伴い、複写機、ファクシミリ、プリンタなどの情報機器のネットワーク化が進んでいる。このネットワークを介して、該情報機器に広告やニュースなどを配信するシステムが開示されている。
【０００３】
例えば、ネットワークに接続されている複写機に、ネットワークからダウンロードした画像を合成する機能を付加することにより、広告入りモードを実現させ、当該モードのときに通常より安価な料金でのサービスを利用者に提供することにより、複写機を新たな広告媒体とする技術が知られている（特許文献１参照）。
【０００４】
また、複写機の遠隔管理をするために使用されているシステムを利用して、広告主のニーズを満たす広告を、顧客に対して迅速且つ効率良く提供する技術が知られている（特許文献２参照）。
【０００５】
【特許文献１】
特開平１１−１９２７６０号公報
【特許文献２】
特開２００２−１６５０４５号公報
【０００６】
【発明が解決しようとする課題】
しかしながら、特許文献１では、広告が印刷された場合に、広告主が広告の印刷料金を広告料金として負担する金額は、広告を印刷した枚数に応じた額であった。従って、大量に広告が印刷されたとしても、実際に印刷された広告の効果で顧客が広告主の店舗に来ることがなければ、その広告料金は無駄となる。即ち実際に使用されない広告枚数が多くなるほど、広告料金がかさむ結果となり、予想を越えた広告料金の出費となることも考えられる。
【０００７】
また、特許文献２では、広告主が希望する地域や対象者等に広告を配信するためには、広告配信システム提供者が予め広告配信を行う地域や対象者等の情報を準備しておかなければならず、その後も該情報を更新していく必要がある。広告配信システム提供者にとっては、実情に即した情報を常に準備することは煩雑且つ困難である。
【０００８】
本発明は、このような問題に鑑みてなされたもので、その目的とするところは、複写機所有者の広告需要に適合し、広告主に対して広告効率の高い広告配信を行うことを可能とする広告配信システムを提供することにある。
【０００９】
【課題を解決するための手段】
前述した目的を達成するために第１の発明は、広告主端末と、複写機と、広告配信データベースを有するサーバとがネットワークを介して接続された広告配信システムであって、前記サーバは、前記広告主端末の申し込みに応じて、広告を前記複写機に配信する配信手段を具備し、前記複写機は広告を特定する特定情報を有する広告を印刷する印刷手段を具備し、前記広告主端末は、前記複写機で印刷された広告の前記特定情報を、前記サーバに送信する送信手段を具備し、前記サーバは、前記特定情報を基にして前記広告配信データベースを書き換える書換え手段を具備することを特徴とする広告配信システムである。
【００１０】
広告主端末は、広告発信を行う事業者、例えばパン販売店、薬局、ファーストフード店、美容院等がネットワークに接続するパソコン、携帯端末等、無線有線を問わない情報機器端末装置である。
複写機は、コンビニエンスストア、オフィス、スーパーマーケット、電気店、各種店舗等、或いは個人宅に設置され、ネットワークに接続して広告配信を印刷できる差別化された機能を有する。
サーバは、広告配信データベースを備え、広告配信システムを運営する広告配信事業者に設置される。
広告配信データベースは、広告主に関するデータを有する広告データと、複写機所有者に関するデータを有する複写機所有者データと、各複写機に対していずれの広告が使用されたことを示す広告情報とを保持する。
特定情報とは、広告が印刷された複写機と、印刷された広告とを特定する広告番号、又は広告番号を示すバーコードである。
特定情報は、サーバ又は複写機で生成される。
書換え手段は、広告配信データベースの広告情報を未使用から使用に書き換えることである。
サーバは、特定情報を受け取ると、この特定情報を持つ広告の広告料金の一部の返還を判断する広告料金返還判断手段を有する。
サーバは、特定情報を受け取ると、この特定情報を持つ広告を印刷した複写機の印刷料金の割引を判断する印刷料金割引判断手段を有する。
第１の発明の広告配信システムでは、サーバが広告主端末からの申し込みに応じて広告を複写機に配信し、複写機は広告を特定する特定情報を有する広告を印刷し、広告主端末は、複写機で印刷された広告の特定情報をサーバに送信し、サーバは特定情報を基にして広告配信データベースを書き換える。
【００１１】
第２の発明は、広告主端末と複写機に、ネットワークを介して接続され、広告配信データベースを有するサーバであって、前記広告主端末の申し込みに応じて、広告を前記複写機に配信する配信手段と、前記複写機で印刷され、特定情報を有する広告の、前記特定情報が前記広告主端末から送られると、この特定情報を受信する受信手段と、前記特定情報を基にして、広告配信データベースを書き換える書換え手段とを、具備することを特徴とするサーバである。
【００１２】
第２の発明のサーバは、広告配信データベースを有し、広告主端末の申し込みに応じて、広告を複写機に配信し、複写機で印刷され、特定情報を有する広告の特定情報が広告主端末から送られると、この特定情報を受信し、特定情報を基にして広告配信データベースを書き換える。
【００１３】
第３の発明は、広告主端末と、広告配信データベースを有するサーバに、ネットワークを介して接続された複写機であって、前記サーバから配信される広告を受信する受信手段と、前記広告を特定する特定情報を生成する生成手段と、前記特定情報を有する広告を印刷する印刷手段とを、具備することを特徴とする複写機である。
【００１４】
第３の発明の複写機は、サーバから配信される広告を受信し、広告を特定する特定情報を生成し、特定情報を有する広告を印刷する。
【００１５】
第４の発明は、コンピュータを請求項７から請求項１３のいずれかに記載されたサーバとして機能させるプログラムである。
【００１６】
第４の発明のプログラムは、コンピュータを請求項７から請求項１３のいずれかに記載されたサーバとして機能させるものであり、このプログラムをネットワークを介して流通させることもできる。
【００１７】
【発明の実施の形態】
以下、図面に基づいて本発明の実施の形態を詳細に説明する。
【００１８】
（１．構成）
（１−１．広告配信システム１の構成）
図１は、本発明の実施の形態に係る広告配信システム１の構成を示す図である。広告配信システム１は、広告主端末１１−１〜１１−４、複写機１３−１〜１３−３、及び広告配信事業者３のサーバ５等で構成され、それぞれ互いにインターネットやイントラネット等のネットワーク９で接続されている。図１では、サーバ５はルータ７を介してネットワーク９に接続されている。
【００１９】
図１に示す複写機１３−１〜１３−３は、例えばコンビニエンスストア、オフィス、スーパーマーケット、電気店、各種店舗等、或いは個人宅に設置される。尚、複写機は、複写・ＦＡＸ・スキャナ等の機能が複合化されたものであってもよい。
【００２０】
広告主端末１１−１〜１１−４は、広告発信を行う事業者、例えばパン販売店、薬局、ファーストフード店、美容院等がネットワークに接続するためのパソコン、携帯端末等、無線有線を問わない情報機器端末装置である。広告主端末１１−１〜１１−４は、ＰＤＡ（Ｐｅｒｓｏｎａｌ  Ｄｉｇｉｔａｌ  Ａｓｓｉｓｔａｎｔ）や、ネットワーク９に接続できるテレビ等であってもよい。
【００２１】
広告配信事業者３は、本発明の広告配信システム１を機能させるサーバ５を有し、サーバ５はネットワーク９に接続される。図１ではサーバ５はルータ７を介してネットワーク９に接続される。
【００２２】
（１−２．サーバ５の構成）
図２は、サーバ５の構成を示す図である。サーバ５は、ＣＰＵ２５、ＲＡＭ２７、ＲＯＭ２９、外部記憶装置ＣＤ−ＲＯＭ３１、入力用キーボード３５、マウス３７、ネットワーク接続アダプタ３３、ハードディスク１５が、それぞれシステムバス２３に接続された構成である。ハードディスク１５には、ＯＳ１７、広告配信実行プログラム１９、広告配信データベース２１が記憶されており、本実施の形態は、広告配信実行プログラム１９を実行することで実現される。広告配信データベース２１の詳細については、図４から図７により後述する。
【００２３】
（１−３．複写機１３の構成）
図３は、オフィスや個人宅に設置される複写機１３の構成を示す図である。複写機１３は、通信部４１、原稿読取部４３、印刷枚数計数部４５、記憶制御部４７、記憶部４９、入力部５５、制御部５９、印刷部６７、表示制御部６９、表示部７１から構成され、それぞれがシステムバス５７に接続されている。
【００２４】
通信部４１は、図１に示すインターネット等のネットワーク９に接続するモデム等の機能を有する。原稿読取部４３は、複写機１３にセットされたユーザの原稿を読み取る装置である。印刷枚数計数部４５は、印刷枚数を計数する装置である。
【００２５】
記憶制御部４７は、記憶部４９に関する機能を制御する。記憶部４９は、広告データ記憶部５１からなり、本実施の形態において広告主端末１１−１〜１１−４で作成され、配信される広告のデータを記憶する。
【００２６】
入力部５５は、ユーザが複写機１３を操作する際に、例えば印刷枚数、縮小拡大率、用紙サイズ等を入力する装置である。
【００２７】
制御部５９は、ＲＯＭ６１、ＲＡＭ６３、ＣＰＵ６５からなり、ＣＰＵ６５は複写機１３の機能を制御する。
【００２８】
印刷部６７は、複写機１３の印刷機能を有する。ユーザに設定された枚数、用紙サイズ等で、原稿の複写を行う。
【００２９】
表示制御部６９は、表示部７１に関する機能を制御する。表示部７１は、液晶パネル等の表示装置であり、操作選択表示、画像表示を行う。尚、表示部７１は、液晶パネルに表示されるボタン部分をユーザがタッチすることで入力装置と兼用してもよい。本実施の形態の複写機１３は、液晶パネル等の表示部７１に入力ボタン又は選択ボタンが表示され、ユーザがボタンを指でタッチして入力する入力部５５と兼用される装置として説明する。
【００３０】
（１−４．広告配信データベース２１の構成）
次に、図４から図７により、広告配信データベース２１について説明する。図４は、広告配信データベース２１の構成を示す図である。広告配信データベース２１は、広告データ７３、複写機所有者データ７５、広告情報７７からなる。以下、それぞれについて説明する。
【００３１】
広告データ７３を図５に示す。広告データ７３は、広告主端末１１−１〜１１−４を有する広告主７９に関するデータ、及び広告内容等を示すデータである。広告主７９に関するデータとしては、広告主７９の名称、住所８１、電話８３、店舗の営業時間８５等が記憶される。
【００３２】
広告内容としては、広告内容８７、画像８９の有無、広告種類９１、有効期間９３である。広告内容８７は、例えば広告の内容を示す「パン全品２０％ＯＦＦ」等の広告情報である。画像８９の項目には、広告に商品や店舗等の画像を挿入するか否かを示す。図５では画像有を「○」、画像無を「×」で表示しているが、例えば使用画像のファイル名等を表示しても良い。広告種類９１は、広告の種類を示す。例えば「０５」はパンに関する広告、「１２」は薬に関する広告を示す。有効期間９３は、該当する広告の有効期間を示すものである。
【００３３】
広告データ７３の内容（広告主に関するデータと、広告内容に関するデータ）は、広告主７９からの指示により作成され、広告主端末１１−１〜１１−４から広告配信事業者３のサーバ５に送られ、広告配信データベース２１の広告データ７３として記憶される。
【００３４】
広告主７９が新規に広告配信の申し込みをした場合は、新たなレコードとしてデータが追加される。広告主７９が、既に登録してある広告の条件を変更して広告配信を申し込む場合は、登録されているレコードの内容が更新される。
【００３５】
次に、複写機所有者データ７５を図６に示す。複写機所有者データ７５には、複写機１３−１〜１３−３ごとの情報が記録される。複写機所有者データ７５は、広告配信可能な複写機を設置する際等に、複写機所有者９９の協力を得て登録される。また、複写機の定期的メンテナンス等の際に、実際の利用情報等を取得して更新することもできる。
【００３６】
図６の製品ＩＤ９５は、複写機ごとに付与される固有のＩＤである。広告配信エリア９７は、複写機が設置されている住所情報である。複写機所有者９９は、複写機の所有者名を示す。使用人数１０１は、該複写機のおよその使用人数を示す。広告傾向１０３は、該複写機使用者の需要に適合する広告ジャンル、例えば「パン」、「ケーキ」、「寿司」、「自動車」等が登録されている。また、広告料金１０５は、使用者人数×５（円）で計算される。
【００３７】
広告主７９が希望する広告配信先は、この複写機所有者データ７５から検索される。例えば、広告主７９が、広告配信エリア９７を「渋谷区」、複写機所有者９９を「オフィス」、広告傾向１０３を「パン」と指定すると、「渋谷区」、「オフィス」、「パン」のすべてに該当するレコードが抽出される。そして、抽出されたレコードの広告料金１０５の合計が、広告主７９に請求される広告料金として算出される。
【００３８】
尚、広告配信エリア９７の抽出方法としては、例えば広告配信エリア９７に複写機の詳細な設置住所（例えば「東京都渋谷区○○町１−２−３」）を登録し、もっと詳細な範囲での抽出、逆に広範囲での抽出も可能である。
【００３９】
次に、広告情報７７を図７に示す。広告情報７７は、サーバ５が配信を終了した広告についての情報が記録される。製品ＩＤ９５は、広告を配信した複写機のＩＤ番号である。広告主７９は、広告配信を申し込んだ広告主７９の名称である。広告種類９１は、配信した広告の種類を示す。例えば「０５」はパンに関する広告、「１２」は薬に関する広告を示す。
【００４０】
広告番号１１３は、広告に付与された特定の番号である。例えば「１２３４」の広告番号１１３は、上位２桁「１２」は、複写機製品ごとに対応する固有の番号であり、下位２桁「３４」は広告主７９ごとに異なるように付与された番号である。広告番号１１３を、広告に印刷して出力し、実際にユーザ（複写機の利用者）が広告を持参して広告主７９からサービス（例えば商品の割引）を受けた場合、ユーザが利用した複写機と、利用した広告とが特定できる。
【００４１】
使用確認１１５は、配信された広告が実際にユーザ（複写機の利用者）に使用されたか否かを確認する項目である。即ち、ユーザ（複写機の利用者）が広告を持参して広告主７９のサービス（例えば商品の割引）を受けた場合、広告主７９は、その広告が使用されたとする情報をサーバ５に送り、サーバ５は該当する使用確認１１５の項目を「使用」と更新する。尚、一旦「使用」とされても、一定期間その広告が再び使用されなかった場合は、使用確認１１５項目は、「使用」から「未使用」に変更されるようにしてもよい。有効期間９３は、配信された広告の有効期間を示す。
【００４２】
（２．広告配信システム１の申し込み手順）
広告主７９が、広告配信事業者３に広告配信システム１の利用を依頼し配信広告を登録する手順を、図８、図９に示す。まず広告主７９は、パソコン等の広告主端末１１−１をネットワーク９に接続し、広告配信事業者３のサーバ５に対して広告配信を申し込む目的で広告配信を問い合わせる（ステップ３０１）。
【００４３】
サーバ５は、問い合わせを受け付け（ステップ３０２）、図１２に示す広告配信先入力画面１２１を含む広告配信先情報を広告主端末１１−１に送信する（ステップ３０３）。広告主端末１１−１は、広告配信情報を受信する（ステップ３０４）。広告配信情報とは、例えば広告配信先入力情報や、広告主７９登録の為の情報等である。
【００４４】
図１２は、広告配信先入力画面１２１を示す。広告配信先入力画面１２１は、広告主端末１１−１のパソコン等の表示装置に表示される。広告配信先入力画面１２１は、広告配信エリア９７の選択領域、複写機所有者９９の選択領域、広告主７９が配信しようとする広告傾向１０３の選択領域を有し、選択決定時に操作する送信ボタン１０７、選択を初期状態に戻すためのクリアボタン１０９、選択操作を中止するためのキャンセルボタン１１を備える。
【００４５】
広告主端末１１−１の操作者は、図１２の広告配信先入力画面１２１にて、広告配信エリア９７を選択する（ステップ３０５）。広告配信を希望する広告配信エリア９７を例えば「渋谷区」と指定する。次に広告配信を希望する複写機所有者９９を選択する（ステップ３０６）。例えば複写機所有者９９を「オフィス」と指定する。次に配信しようとする広告傾向１０３を選択する（ステップ３０７）。例えば広告主端末１１−１を所有する広告主７９がパン屋さんとだすると、広告傾向１０３は「パン」を指定する。
【００４６】
尚、条件選択方法は、複数の選択肢（例えば「パン」と「ケーキ」）等をＡＮＤ条件で選択する方法、或いはＯＲ条件で選択する方法等であってもよい。また、広告配信エリア９７の選択では、キーワードを入力して、該キーワードを含むという条件設定をしてもよい。
【００４７】
選択が終了すると、広告主端末１１−１の操作者は、図１２の送信ボタン１０７をクリックし選択結果をサーバ５に送信する。この送信操作により、サーバ５に選択された条件で広告料金を問い合わせる（ステップ３０８）こととなる。
【００４８】
サーバ５は、広告主端末１１−１からの広告配信条件を受信し、その条件で料金問い合わせを受け付ける（ステップ３０９）。サーバ５は、該広告主端末１１−１から受信した条件を基に、広告料金を算出する（ステップ３１０）。
【００４９】
例えば広告主端末１１−１からの広告配信条件が、図１２に示すように、広告配信エリア９７が「渋谷区」、複写機所有者９９が「オフィス」、広告傾向１０３が「パン」であるとすると、サーバ５は、広告配信データベース２１の複写機所有者データ７５（図６）を、上記条件にて検索し、上記条件に適合する複写機（即ち製品ＩＤ９５）を抽出する。尚、図６に示す広告傾向１０３が「パン、ケーキ、寿司」などのように複数個設定されているものでは、少なくとも１つが広告主端末１１−１からの条件に含まれていれば、その製品ＩＤ９５は条件を満たしているものとして抽出される。
【００５０】
広告主端末１１−１により設定された条件で、複写機所有者データ７５（図６）の広告配信エリア７９、複写機所有者９９、広告傾向１０３を満たすすべてのレコードが抽出される。そして、抽出されたレコードの広告料金１０５の合計が、広告主７９に請求される広告料金となる。
【００５１】
次に、サーバ５は、算出された広告料金情報を広告主端末１１−１に送信する（ステップ３１１）。広告主端末１１−１は広告料金情報を受信し（ステップ３１２）、該料金に不服の場合（ステップ３１３の「不服」）は、広告配信条件を再入力する（ステップ３１４のＹＥＳから、ステップ３０５に戻る）。広告配信条件を再入力しない場合（ステップ３１４のＮＯ）は、広告主端末１１−１は終了通知をサーバ５に送り（ステップ３１５）、サーバ５は終了通知を受信し（ステップ３１６）処理を終了する。
【００５２】
広告主端末１１−１が、受信した広告料金情報に承服する場合（ステップ３１３の「承服」）は、料金の決済手段を選択する（ステップ３１７）。例えばクレジットカード支払い、或いは口座振込み等を選択する。
【００５３】
次に、広告作成のステップに移る。広告主端末１１−１は、サーバ５に広告作成方法問い合わせを行い（ステップ３１８）、サーバ５は問い合わせを受け付け（ステップ３１９）、広告作成情報を広告主端末１１−１に送信する（ステップ３２０）。広告主端末１１−１は、広告作成情報を受信する（ステップ３２１）。
【００５４】
広告作成情報とは、例えば広告作成用テンプレート、広告用画像、広告作成用アプリケーションソフト等である。例えば、広告主端末１１−１が、該広告作成用テンプレートに必要情報（店名、広告内容、有効期限等）を入力し、画像等を挿入すれば広告を簡単に作成することができる。
【００５５】
次に、広告主端末１１−１は、既に配信したことのある広告を再利用する場合には（ステップ３２２の「再利用」）、旧広告情報をサーバ５に要求する（ステップ３２４）。サーバ５は、要求を受け付け（ステップ３２５）、要求された旧広告情報を広告配信データベース２１の広告データ７３から読み出し（ステップ３２６）、広告主端末１１−１に送信する（ステップ３２７）。
【００５６】
広告主端末１１−１は、旧広告情報を受信し（ステップ３２８）、新条件を設定して広告作成を行う（ステップ３２９）。新条件とは、例えば送られてきた旧広告情報を基に、広告内容８７（図５）の「パン全品２０％ＯＦＦ」を「パン全品１５％ＯＦＦ」のように変更することであり、有効期間９３や画像８９等の変更をしてもよい。
【００５７】
配信広告を新規に作成する場合（ステップ３２２の「新規」）には、広告主端末１１−１は、広告作成情報として送られてきた広告作成用テンプレート等を利用して、新規に広告作成を行う（ステップ３２３）。
【００５８】
次に、広告主端末１１−１は、新規或いは旧広告を変更して作成した広告の配信を、サーバ５に申し込む（ステップ３３０から図９の▲２▼へ）。
【００５９】
サーバ５は、広告配信申込を受け付け（ステップ３３１）、広告が新規に作成された場合（ステップ３３２の「新規」）、広告配信データベース２１の広告データ７３に新規に広告登録を行う（ステップ３３４）。旧広告が再利用された場合には（ステップ３３２の「再利用」）、新条件で広告データ７３に再登録する（ステップ３３３）。
【００６０】
次にサーバ５は、ステップ３１７で指定された決済方法により、広告料金を決済する。決済手段が口座振込みの場合（ステップ３３５の「口座振込み」）で、期限内に納付されると（ステップ３３６の「納付」）、サーバ５は広告配信手続完了の通知を広告主端末１１−１に送信する（ステップ３３７）。口座振込みが確認されないとき（ステップ３３６の「不納」から図８の▲３▼）、広告配信の申し込みは成立しない。
【００６１】
また、決済手段がクレジットカードの場合（ステップ３３５の「クレジットカード」）、サーバ５は広告配信手続完了の通知を広告主端末１１−１に送信する（ステップ３３７）。広告主端末１１−１は、手続完了を確認する（ステップ３３８）。
【００６２】
次に、サーバ５は、配信する複写機毎に広告番号１１３を付与した広告配信を行う（ステップ３３９）。サーバ５の広告配信データベース２１の広告情報７７には、配信された広告に関する情報のレコードが追加登録される（ステップ３４２）。広告情報７７の使用確認１１５項目欄は、「未使用」が初期値となる。複写機１３−１は、広告配信を受信し（ステップ３４０）、記憶部４９の広告データ記憶部５１に保存する（ステップ３４１）。
【００６３】
広告番号１１３は、広告に付与される特定の番号であり、広告が印刷される時、図１５に示すように「広告番号：１２３４」のように印刷される。例えば、広告番号１１３の上位２桁「１２」は複写機ごとに付与される固有の番号であり、下位２桁「３４」は、広告主７９ごとに異なるように付与される固有の番号である。この広告番号１１３は、同じ複写機で何枚印刷しても同じ番号となる。
【００６４】
尚、広告番号１１３を数字で印刷する代わりにバーコードにして印刷してもよい。或いは広告番号１１３を、数字とバーコード両方で印刷してもよい。
【００６５】
この広告番号１１３が印刷された広告を、ユーザ（複写機で広告を印刷したユーザ）が広告主７９の店舗等に持参し、サービスの提供を受ける際に利用する。広告主７９は、実際に使用された広告の広告番号１１３をサーバ５にフィードバックすることで、サーバ５の広告配信データベース２１の内容を更新し、より効率のよい広告配信システム１を構築していくことを目指す。印刷された広告に関するフローチャートの詳細については、後述する。
【００６６】
（３．広告利用と広告処理手順）
（３−１．複写機ユーザによる広告出力）
図１０、図１１に、複写機１３−１のユーザが広告を印刷し、実際に使用した場合の広告配信システム１の処理手順を示す。
【００６７】
前提として、例えば「渋谷区」の「オフィスＡ」に設置された複写機１３−１（製品ＩＤが「ＡＢＣＤ」）を、ユーザが操作すると想定する。複写機１３−１の表示部７１には、図１３に示す複写機待ち受け画面１２３が表示されている。図１３に示す複写機１３−１は、コピー、ＦＡＸ、スキャナ等の複合機であり、コピーボタン１２５等の機能選択ボタン、コピーの機能選択（用紙選択、片面選択、倍率設定、枚数設定）ボタン、テンキー、スタートボタン１３７、広告印刷を要求する広告ボタン１２７等を備える。
【００６８】
ユーザが、複写機１３−１に原稿をセットし（ステップ２０１のＹＥＳ）、図１３のコピー機能を設定してスタートボタン１３７を押すと（ステップ２０２のＮＯ）、複写機１３−１は通常の複写印刷を行う（ステップ２０３）。
【００６９】
ユーザが、複写機１３−１に原稿をセットし（ステップ２０１のＹＥＳ）、図１３の広告ボタン１２７を選択すると（ステップ２０２のＹＥＳ）、複写機１３−１は、受信した広告を広告データ記憶部５１から検索し（ステップ２０５）、表示部７１の複写機待ち受け画面１２３を切り替えて、検索一覧を受信広告表示画面１２９（図１４）として表示する（ステップ２０６）。
【００７０】
図１４の受信広告表示画面１２９には、例えば「ハチ公ベーカリー（パン屋）」１３１から配信された広告等の、検索された複数の配信広告の広告主７９名称が表示される。広告が複数のページにわたる場合には、前後ページへの移動ボタンが表示される。決定ボタン１３３は、選択した配信広告の印刷を決定する場合に使用される。また、詳細ボタン１３５は、選択した配信広告についての詳細を知りたい場合に使用される。例えば詳細ボタン１３５を押すと、画面が切り替わり、該当する広告の詳細な内容やプレビューが表示される。
【００７１】
尚、受信広告表示画面１２９に広告主７９の名称が表示されるとしたが、複数の配信広告を縮小表示してもよい。
【００７２】
また、ユーザが、複写機１３−１に原稿をセットしないで（ステップ２０１のＮＯ）、図１３の広告ボタン１２７を選択すると（ステップ２０４のＹＥＳ）、複写機１３−１は、受信した広告を広告データ記憶部５１から検索し（ステップ２０５）、表示部７１の複写機待ち受け画面１２３を切り替えて、検索一覧を受信広告表示画面１２９（図１４）として表示する（ステップ２０６）。
【００７３】
次に、図１４の受信広告表示画面１２９で、ユーザが「ハチ公ベーカリー（パン屋）」１３１を選択して決定ボタン１３３を押し（ステップ２１１のＹＥＳ）、該広告を印刷する場合、スタートボタン１３７を押す（ステップ２１２のＹＥＳ）。
【００７４】
ステップ２０１で原稿セットがない場合には、複写機１１−１は広告と原稿の合成印刷はないと判断し（ステップ２１３のＮＯ）、広告のみの印刷処理を行い（ステップ２１５）、広告を出力する（ステップ２１６）。原稿セット無し（即ち、合成印刷無し）の場合の広告の例を図１５に示す。図１５は、「ハチ公ベーカリー」の広告が全面に印刷される。また、広告には広告番号１１３が印刷される。
【００７５】
ステップ２０１で原稿セットがある場合には、複写機１１−１は広告と原稿を合成印刷する判断し（ステップ２１３のＹＥＳ）、広告と原稿の合成処理を行った後（ステップ２１４）、印刷処理を行い（ステップ２１５）、広告を出力する（ステップ２１６）。原稿セット有り（即ち、合成印刷有り）の場合の広告の例を図１６に示す。図１６は、ユーザがセットした原稿と、「ハチ公ベーカリー」の広告とが合成されて印刷される。また、広告には広告番号１１３が印刷される。
【００７６】
尚、ステップ２１１で広告の選択が無く（ステップ２１１のＮＯ）、タイムアウトした場合（ステップ２０７のＹＥＳ）、画面表示は図１３の複写機待ち受け画面１２３に戻る。原稿セットがあり（ステップ２０８のＹＥＳ）、通常印刷の要求（即ちスタートボタン１３７が押される）が有れば（ステップ２０９のＹＥＳ）、複写機１１−１は通常印刷を行う（ステップ２０３）。ステップ２０８で原稿セットが無ければ処理を終了する（ステップ２０８のＮＯ）。
【００７７】
また、ステップ２１１で広告の選択があり（ステップ２１１のＹＥＳ）、印刷要求が無く（ステップ２１２のＮＯ）、タイムアウトした場合（ステップ２１０のＹＥＳ）は、画面表示は図１３の複写機待ち受け画面１２３に戻る。原稿セットがあり（ステップ２０８のＹＥＳ）、通常印刷の要求（即ちスタートボタン１３７が押される）が有れば（ステップ２０９のＹＥＳ）、複写機１１−１は通常印刷を行う（ステップ２０３）。ステップ２０８で原稿セットが無ければ処理を終了する（ステップ２０８のＮＯ）。
【００７８】
（３−２．複写機ユーザによる広告使用）
複写機ユーザは、例えば図１５の「ハチ公ベーカリー」の広告を印刷出力して取得し（ステップ２１７から図１１の▲１▼）、印刷広告１３９をハチ公ベーカリーに持参して、「各種パン  全品２０％ＯＦＦ」のサービスを受けたとする。
【００７９】
広告主７９である「ハチ公ベーカリー」は、印刷広告１３９を受領する（ステップ２１８）。
【００８０】
（３−３．広告使用情報の送信）
広告主端末１１−１は、本発明の広告配信システム１にログインすべく、ネットワーク９を介してサーバ５に接続要求を行う（ステップ２１９）。
【００８１】
サーバ５は、広告主端末１１−１からの接続要求を受け付け（ステップ２２０）、ユーザ認証を要求する（ステップ２２１）。ここでの「ユーザ」とは、広告主端末１１−１を広告配信システム１の使用者として「ユーザ」と称する。
【００８２】
広告主端末１１−１は、ユーザ認証要求を受信し（ステップ２２２）、ユーザ情報をサーバ５に送信する（ステップ２２３）。ユーザ情報とは、広告配信システム１へ、ユーザとしてログインするためのパスワード等である。
【００８３】
サーバ５は、広告主端末１１−１からのユーザ情報を受信し（ステップ２２４）、登録ユーザでない場合（ステップ２２５のＮＯ）、接続不能通知を広告主端末１１−に送る（ステップ２２６）。広告主端末１１−１は、接続不能通知を受信し（ステップ２２７）、ユーザ情報を再送信する場合（ステップ２２８のＹＥＳ）はステップ２２３に戻る。ユーザ情報を再送信しない場合（ステップ２２８のＮＯ）は、接続処理を終了する。
【００８４】
サーバ５が、広告主端末１１−を登録ユーザであると認証した場合（ステップ２２５のＹＥＳ）、広告主端末１１−１に接続完了通知を送信する（ステップ２２９）。広告主端末１１−１は、広告配信システム１への接続を完了する（ステップ２３０）。
【００８５】
広告主端末１１−１は、図示していないが各種メニューから広告番号入力項目を選択し、図１７に示す広告番号入力画面１４５を表示する。広告番号入力画面１４５は、広告番号１１３入力領域を有する。また、広告番号１１３を入力後、サーバ５に送信する送信ボタン１０７を有する。また、広告番号１１３をクリアするクリアボタン１０９、広告番号１１３の入力をキャンセルするキャンセルボタン１１１を備える。
【００８６】
広告主端末１１−１が、広告番号入力画面１４５に、受領した広告に記載された広告番号１１３を入力し（ステップ２３１のＹＥＳ）、送信ボタン１０７を押して広告番号１１３を送信すると（ステップ２３２）、サーバ５は広告番号１１３を受信する（ステップ２２３）。操作者は、受領した広告に印刷されている広告番号１１３（図１５）を目で見て広告主端末１１−１に入力してもよいし、広告番号１１３がバーコードで印刷されている場合は、バーコードリーダを用いて読み取ってもよい。
【００８７】
サーバ５は、受信した広告番号１１３と、広告情報７７（図４、図７）に保存されている配信済みの広告番号とを比較する（ステップ２３４）。
【００８８】
サーバ５は、受信広告番号１１３の有効性を判断する。例えば広告情報７７（図７）を参照すると、広告主７９「ハチ公ベーカリー」から例えば入力ミスにより、広告番号１１３「１２３３」（「平成シューズ」が配信した広告番号）が送られてきた場合に、広告番号１１３が無効と判断される。サーバ５が、受信広告番号１１３を無効と判断すると（ステップ２３５の「無効」）、無効通知を広告主端末１１−１に送信し（ステップ２３６）、広告主端末１１−１は無効通知を受信すると（ステップ２３７）、広告番号１１３の再入力を行い（ステップ２３８のＹＥＳ）、ステップ２３１に戻る。広告番号１１３の再入力を行わない場合（ステップ２３８のＮＯ）は、処理を終了する。
【００８９】
（３−４．広告配信データベース２１の更新）
サーバ５が、受信広告番号１１３を有効と判断すると（ステップ２３５の「有効」）、受信広告情報、即ち広告配信データベース２１の広告情報７７（図７）の使用確認１１５項目を「未使用」から「使用」に書き換える（ステップ２３９）。
【００９０】
尚、使用確認１１５項目が、一旦「使用」に書き換えられてから、所定の期間を経ても同じ広告番号１１３が入力されない場合には、該配信広告の使用頻度が低いと判断して、使用確認１１５項目を再度「未使用」に書き戻すようにしてもよい。
【００９１】
また、広告情報７７（図７）の、ある複写機（製品ＩＤ９５）の特定の広告種類９１（例えばパンを示す「０５」）の配信広告の使用確認１１５項目が、所定の期間を経ても「未使用」のままであったとする。サーバ５は、その複写機での広告種類９１「０５」（パン）は、利用されていないと判断し、図６に示す複写機所有者データ７５の広告傾向１０３から、「パン」を削除する。
【００９２】
図１８は、広告配信データベース２１の複写機所有者データ７５の更新を示す図である。図１８（ａ）は更新前、図１８（ｂ）は更新後を示す。即ち、製品ＩＤ９５「ＪＫＬＭ」の複写機は、所定期間を経ても「パン」に関する広告が利用されなかったため、広告傾向１０３「居酒屋、薬、パン」から「パン」が削除され、「居酒屋、薬」に更新されたものである。
【００９３】
従って、広告主７９が「パン」に係る広告配信を申し込む際に、図１２の広告配信先入力画面１２１から広告配信エリア９７「渋谷区」、複写機所有者９９「オフィス」、広告傾向１０３「パン」を選択して複写機所有者データ７５を検索すると、図１８（ｂ）では製品ＩＤ「ＪＫＬＭ」の複写機は抽出されない。即ち、広告主７９から送られる実際の広告利用状況を、サーバ５の広告配信データベース２１にフィードバックして更新することで、複写機ごとに有効性の高い広告を配信することができる。
【００９４】
尚、一旦広告傾向から削除された広告については、その後広告配信がされなくなるが複写機所有者が希望すれば、また、広告傾向に再登録することができる。
【００９５】
（３−５．広告料金返還）
次に、サーバ５が、広告料金を広告主７９に返還する場合（ステップ２４０のＹＥＳ）、広告料金返還処理を行い（ステップ２４１）、広告料金返還通知を広告主端末１１−１に送る（ステップ２４２）。広告主端末１１−１は、広告料金返還通知を受信する（ステップ２４３）。
【００９６】
広告料金は、前述したように広告主端末１１−１が広告配信を依頼した時に、複写機所有者データ７５（図６）のデータから算出され、一括で広告配信事業者３（サーバ５の所有者）に支払われている。
【００９７】
広告主７９（広告主端末１１−１）から送られる実際の広告利用状況を、広告配信データベース２１にフィードバックして更新し、より有効性のある広告配信システム１を構築するために、広告利用状況が広告主端末１１−１から送られる度に、所定の広告料金を広告主７９に返還する。広告料金返還により、広告主７９の本実施の広告配信システム１に対する意識を高めてもらい、協力を得られるようにする。尚、広告料金返還金額の合計は、既に支払われた広告料金の例えば９０％を上限に設定するようにしてもよい。
【００９８】
（３−６．保守料金返還）
また、サーバ５は、複写機１３−１に対して保守料金割引を行う場合（ステップ２４４のＹＥＳ）、保守料金割引処理を行う（ステップ２４５）。即ち受信広告番号１１３から、実際に使用された広告を印刷した複写機１３−１を特定することができる。該複写機１３−１所有者に、複写機１３−１の保守料金を割引くようにして、本実施の広告配信システム１に対する意識を高めてもらい、協力を得られるようにする。
【００９９】
（４．広告配信システム１の申し込み手順の別の実施の形態）
次に、広告主７９が広告配信事業者３に広告配信システム１の利用を申し込み、配信広告を登録する、別の実施の形態の手順を、図１９、図２０に示す。
【０１００】
ステップ４３７の手続完了通知までは、図８、図９のフローチャートのステップ３３７までと同じなので説明を省略する。
【０１０１】
広告主端末１１−１の手続を完了したサーバ５は、指定された複写機１３−１に対して、作成された広告配信を行う（ステップ４３９）。複写機１３−１は、広告を受信し（ステップ４４０）、広告に広告番号１１３を付与する（ステップ４４１）。
【０１０２】
複写機１３−１が、付与した広告番号１１３をサーバ５に通知すると（ステップ４４２）、サーバ５は広告番号１１３を受信して（ステップ４４３）、広告配信データベース２１の広告情報７７の広告番号１１３項目に記憶する（ステップ４４４）。また、複写機１３−１は、広告番号１１３を記憶部４９の広告データ記憶部５１に保存する（ステップ４４５）。
【０１０３】
（５．効果等）
このように、本実施の形態によれば、複写機のユーザは、地域に密着した広告情報を入手することができる。また、複写機のユーザは、割引情報が印刷された配信広告を広告主の店舗等に持参すれば、商品やサービスを割引料金で利用できる。
【０１０４】
複写機の所有者は、印刷出力された配信広告が実際に使用されることにより、保守料金の割引を受けることができる。
【０１０５】
広告主は、地域に密着した広告の配信が可能になるため、無駄な広告費用を削減し、広告効率を上げることができる。また、複写機ごとに、複写機ユーザのニーズに適応する広告配信を行うため、更に広告効率を上げることができる。また、複写機ユーザが持参した配信広告をチェックして、広告配信システム提供者にフィードバックすることで、広告料金が返還される。
【０１０６】
また、広告配信システムが使用されればされるほど、広告配信システムのデータベースに正確な情報が蓄積されるので、広告効率は益々上昇する。その結果、広告主は、広告費の削減と、商品やサービスの売上増が期待できる。
【０１０７】
広告配信システム提供者は、広告主から所定の広告料金を取得することができる。また、広告主からは使用された配信広告の情報のフィードバックを受けるので、信頼性のあるデータベースを構築することができる。その結果、広告配信希望者（広告主）の増加を期待できる。
【０１０８】
また、広告配信システム提供者と複写機所有者とが、同一である場合には、広告情報が得られる複写機ということで、他の単機能の複写機との差別化を図ることができ、複写機のシェア拡大を期待できる。
【０１０９】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【０１１０】
また、印刷料金とは、印刷に関する料金であって、例えば、保守料金、消耗品を購入する際に複写機所有者が負担する費用、故障の際の部品交換費用等をいう。上記実施例では保守料金を例に記載している。
【０１１１】
さらに、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１１２】
この場合、記憶媒体から読み出されたプログラムコード自体が前述した実施形態の機能を実現することになり、プログラムコード自体及びそのプログラムコードを記憶した記憶媒体は本発明を構成することになる。
【０１１３】
プログラムコードを供給するための記憶媒体としては、例えば、フレキシブルディスク、ハードディスク、光ディスク、光磁気ディスク、ＣＤ？ＲＯＭ、ＣＤ？Ｒ、磁気テープ、不揮発性のメモリカード、ＲＯＭ等を用いることができる。また、コンピュータが読み出したプログラムコードを実行することにより、前述した実施形態の機能が実現されるだけでなく、そのプログラムコードの指示に基づき、コンピュータ上で稼動しているＯＳなどが実際の処理の一部又は全部を行い、その処理によって前述した実施形態の機能が実現される場合も含まれることは言うまでもない。
【０１１４】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【０１１５】
【発明の効果】
以上、詳細に説明したように本発明によれば、複写機所有者の広告需要に適合し、広告主に対して広告効率の高い広告配信を行うことを可能とする広告配信システムを提供することができる。
【図面の簡単な説明】
【図１】本発明の実施の形態に係る広告配信システム１の構成を示す図
【図２】サーバ５の構成を示す図
【図３】複写機１３の構成を示す図
【図４】広告配信データベース２１を示す図
【図５】広告データ７３を示す図
【図６】複写機所有者データ７５を示す図
【図７】広告情報７７を示す図
【図８】広告申込のフローチャート
【図９】広告申込のフローチャート
【図１０】広告配信のフローチャート
【図１１】広告配信のフローチャート
【図１２】広告配信先入力画面１２１を示す図
【図１３】複写機待ち受け画面１２３を示す図
【図１４】受信広告表示画面１２９を示す図
【図１５】原稿セット無しの場合の印刷広告１３９を示す図
【図１６】原稿セット有りの場合の印刷広告１４１を示す図
【図１７】広告番号入力画面１４５を示す図
【図１８】複写機所有者データ７５の更新を示す図
【図１９】別の実施の形態の広告申込のフローチャート
【図２０】別の実施の形態の広告申込のフローチャート
【符号の説明】
１・・・ 広告配信システム
３・・・ 広告配信事業者
５・・・ サーバ
７・・・ ルータ
９・・・ ネットワーク
１１−１〜１１−４・・・ 広告主端末
１３−１〜１３−３・・・ 複写機
１５・・・ ハードディスク
１７・・・ ＯＳ
１９・・・ 広告配信実行プログラム
２１・・・ 広告配信データベース
２３、５７・・・ システムバス
２５、６５・・・ ＣＰＵ
２７、６３・・・ ＲＡＭ
２９、６１・・・ ＲＯＭ
３１・・・ ＣＤ−ＲＯＭ
３３・・・ ネットワーク接続アダプタ
３５・・・ キーボード
３７・・・ マウス
４１・・・ 通信部
４３・・・ 原稿読取部
４５・・・ 印刷枚数計数部
４７・・・ 記憶制御部
４９・・・ 記憶部
５１・・・ 広告データ記憶部
５５・・・ 入力部
５９・・・ 制御部
６７・・・ 印刷部
６９・・・ 表示制御部
７１・・・ 表示部
７３・・・ 広告データ
７５・・・ 複写機所有者データ
７７・・・ 広告情報
７９・・・ 広告主
８１・・・ 住所
８３・・・ 電話
８５・・・ 営業時間
８７・・・ 広告内容
８９・・・ 画像
９１・・・ 広告種類
９３・・・ 有効期間
９５・・・ 製品ＩＤ
９７・・・ 広告配信エリア
９９・・・ 複写機所有者
１０１・・・ 使用人数
１０３・・・ 広告傾向
１０５・・・ 広告料金
１０７・・・ 送信ボタン
１０９・・・ クリアボタン
１１１・・・ キャンセルボタン
１１３・・・ 広告番号
１１５・・・ 使用確認
１２１・・・ 広告配信先入力画面
１２３・・・ 複写機待ち受け画面
１２５・・・ コピーボタン
１２７・・・ 広告ボタン
１２９・・・ 受信広告表示画面
１３１・・・ 広告表示
１３３・・・ 決定ボタン
１３５・・・ 詳細ボタン
１３７・・・ スタートボタン
１３９・・・ 原稿セット無しの場合の印刷広告
１４１・・・ 原稿セット有りの場合の印刷広告
１４３・・・ 広告印刷部分
１４５・・・ 広告番号入力画面
【図１】
2004213176.tif 000003
【図２】
2004213176.tif 000004
【図３】
2004213176.tif 000005
【図４】
2004213176.tif 000006
【図５】
2004213176.tif 000007
【図６】
2004213176.tif 000008
【図７】
2004213176.tif 000009
【図８】
2004213176.tif 000010
【図９】
2004213176.tif 000011
【図１０】
2004213176.tif 000012
【図１１】
2004213176.tif 000013
【図１２】
2004213176.tif 000014
【図１３】
2004213176.tif 000015
【図１４】
2004213176.tif 000016
【図１５】
2004213176.tif 000017
【図１６】
2004213176.tif 000018
【図１７】
2004213176.tif 000019
【図１８】
2004213176.tif 000020
【図１９】
2004213176.tif 000021
【図２０】
2004213176.tif 000022